(57)【要約】【課題】  本発明は、玄関ドアに対する汚れの付着やドア下からの洗剤の侵入を防止することができると共に、玄関ドアに対し容易に着脱することができる養生シートおよびこれを用いた清掃方法を提供することを課題としている。【解決手段】  玄関ドアＤが面する共用通路の清掃に際し、玄関ドアＤを養生する養生シート１であって、玄関ドアＤの表面下部から共用通路の床面Ａまでを覆うシート体１１と、シート体１１に設けられ、磁着によりシート体１１を玄関ドアＤに支持する主マグネット１２および副マグネット１３と、を備えた。【選択図】  図３
2019188334.tif 000002
【特許請求の範囲】
【請求項１】
玄関ドアが面する通路の清掃に際し、前記玄関ドアを養生する養生シートであって、
前記玄関ドアの見付け面下部から前記通路の床面までを覆うシート体と、
前記シート体に設けられ、磁着により前記シート体を前記玄関ドアに支持するマグネットと、を備えたことを特徴とする養生シート。
【請求項２】
前記シート体は、矩形に形成され、前記玄関ドアよりも幅広に形成されていることを特徴とする請求項１に記載の養生シート。
【請求項３】
前記シート体は、上端部および／または下端部に折返し部が設けられていることを特徴とする請求項１または２に記載の養生シート。
【請求項４】
前記マグネットは、
前記シート体の上端部に設けられた主マグネットと、
前記シート体の下端部に設けられた副マグネットと、で構成されていることを特徴とする請求項１ないし３のいずれか１項に記載の養生シート。
【請求項５】
前記主マグネットは、前記シート体の上辺に添うように配設されていることを特徴とする請求項４に記載の養生シート。
【請求項６】
前記副マグネットは、前記シート体の下端から上側に寄った位置に配設されていることを特徴とする請求項４または５に記載の養生シート。
【請求項７】
前記副マグネットは、前記シート体の両側端から左右内側に寄った位置に配設された左右一対のマグネット片で構成されていることを特徴とする請求項４ないし６のいずれか１項に記載の養生シート。
【請求項８】
請求項１ないし７のいずれか一項に記載の養生シートを用いて、玄関ドアが面する通路の床面を清掃する清掃方法であって、
前記養生シートを前記玄関ドアに設置する養生工程と、
前記養生工程の後に、前記通路の床面を清掃する清掃工程と、
前記清掃工程の後に、前記養生シートを撤去する撤去工程と、を実行することを特徴とする清掃方法。
【発明の詳細な説明】
【技術分野】
【０００１】
本発明は、共同住宅の通路（廊下）の清掃に際し、通路に面した玄関ドアを養生する養生シートおよびこれを用いた清掃方法に関するものである。
【背景技術】
【０００２】
従来、この種の清掃方法として、床清掃作業用ポリッシャーを用いたものが知られている（特許文献１参照）。この床清掃作業用ポリッシャーは、洗剤（洗浄液）を入れた洗剤タンクと、洗剤タンク内の洗剤を供給する注液ノズルと、を備えており、清掃作業では、注液ノズルから洗剤を供給しながら、ポリッシングを行って、床面の清掃を行っている。
【先行技術文献】
【特許文献】
【０００３】
【特許文献１】実開昭５５−１５９０５５号公報
【発明の概要】
【発明が解決しようとする課題】
【０００４】
しかしながら、上記従来の清掃方法を、共同住宅の通路（廊下）の清掃に採用したところ、廊下に面した玄関ドアが、ポリッシングにより跳ねた洗剤によって汚れたり、また洗剤がドア下の隙間から住戸内に侵入してしまうといった問題が生じた。
これに対し、粘着テープ等で養生材を玄関ドアに貼り付け、これによって玄関ドアを養生することも考えられるが、かかる場合、養生材の着脱に手間がかかるという問題が生じる。特に、清掃作業中に、住戸の住民によって玄関ドアが利用される場合、その都度、養生材を取り外す必要があり、これに対する対応が著しく煩雑であった。
【０００５】
本発明は、玄関ドアに対する汚れの付着やドア下からの洗剤の侵入を防止することができると共に、玄関ドアに対し容易に着脱することができる養生シートおよびこれを用いた清掃方法を提供することを課題としている。
【課題を解決するための手段】
【０００６】
本発明の養生シートは、玄関ドアが面する通路の清掃に際し、玄関ドアを養生する養生シートであって、玄関ドアの見付け面下部から通路の床面までを覆うシート体と、シート体に設けられ、磁着によりシート体を玄関ドアに支持するマグネットと、を備えたことを特徴とする。
【０００７】
本発明の清掃方法は、上記の養生シートを用いて、玄関ドアが面する通路の床面を清掃する清掃方法であって、養生シートを玄関ドアに設置する養生工程と、養生工程の後に、通路の床面を清掃する清掃工程と、清掃工程の後に、養生シートを撤去する撤去工程と、を実行することを特徴とする。
【０００８】
これらの構成によれば、本養生シートを玄関ドアに設置した状態で、清掃作業を行うことで、玄関ドアの汚れの付着やドア下からの洗剤の侵入を防止することができる。また、マグネットによって磁着で、シート体を玄関ドアに支持する構成であるため、玄関ドアに対し容易に着脱することができる。よって、清掃作業中に玄関ドアを利用する場合にも、これに容易に対応することができる。なお、ここにいう「玄関ドア」は、ドア枠と、ドアヒンジを介してドア枠に取り付けられたドア本体とから構成されている。
【０００９】
上記の養生シートにおいて、シート体は、矩形に形成され、玄関ドアよりも幅広に形成されていることが好ましい。
【００１０】
この構成によれば、玄関ドアに汚れが付くのを確実に防止することができる。
【００１１】
また、シート体は、上端部および／または下端部に折返し部が設けられていることが好ましい。
【００１２】
この構成によれば、上端部および／または下端部の摩耗に対する耐久性を向上させることができる。
【００１３】
一方、マグネットは、シート体の上端部に設けられた主マグネットと、シート体の下端部に設けられた副マグネットと、で構成されていることが好ましい。
【００１４】
この構成によれば、シート体がバタつかないように押えておくことができる。
【００１５】
この場合、主マグネットは、シート体の上辺に添うように配設されていることが好ましい。
【００１６】
この構成によれば、シート体の姿勢を維持しつつ、シート体がズレ落ちないように玄関ドアに確実に支持することができる。
【００１７】
この場合、副マグネットは、シート体の下端から上側に寄った位置に配設されていることが好ましい。
【００１８】
この構成によれば、シート体の下端を床面に倣うように撓ませ、シート体の裏面下端を床面に接触させる形で設置しても、副マグネットによる玄関ドアへの磁着を確実に行うことができる。
【００１９】
また、副マグネットは、シート体の両側端から左右内側に寄った位置に配設された左右一対のマグネット片で構成されていることが好ましい。
【００２０】
この構成によれば、ドアヒンジやドア枠等がドア本体から突出していたとしても、シート体がバタつかないように押えておくことができる。
【図面の簡単な説明】
【００２１】
【図１】本発明の一実施形態に係る養生シートを示した正面図である。
【図２】養生シートを示した裏面図である。
【図３】養生シートを玄関ドアに設置した状態を示した正面図である。
【図４】清掃作業を示したフローチャートである。
【図５】養生シートの設置方法の一例を示した側断面図である。
【発明を実施するための形態】
【００２２】
以下、添付の図面を参照しながら、本発明の一実施形態に係る養生シートおよびこれを用いた清掃方法について説明する。この養生シートは、共同住宅の共用通路（主に外廊下）における床面の清掃に際し、共用通路に面するスチール製の玄関ドアを養生するためのものである。なお、養生対象となる玄関ドアは、ドアノブおよび郵便受けを有するドア本体と、ドア本体を開閉自在に支持するドア枠とで構成されている。また、養生シートは、玄関ドアを閉めた状態で設置される。
【００２３】
図１は、養生シート１を示した正面図であり、図２は、養生シート１を示した裏面図である。また、図３は、養生シート１を玄関ドアＤに設置した状態を示した正面図である。図１ないし図３に示すように、養生シート１は、玄関ドアＤの表面下部（室外側見付け面下部）から床面Ａまでを覆うシート体１１と、シート体１１の上端部に接着固定された主マグネット１２と、シート体１１の下端部に接着固定された副マグネット１３と、を備えている。磁着によりシート体１１をスチール製の玄関ドアＤに支持する「マグネット」は、いわゆるマグネットシートであり、主マグネット１２および副マグネット１３によって構成されている。
【００２４】
シート体１１は、折畳み可能な緑色のポリプロピレンシートで構成されており、矩形に形成されている。また、シート体１１の上端部および下端部には、端部を折り返して形成した折返し部２１が設けられている。
【００２５】
シート体１１の横寸法（左右の幅寸法）は、１００ｃｍになっている。すなわち、シート体１１の横寸法は、玄関ドアＤ（ドア本体Ｄａおよびドア枠Ｄｂ）の幅（９０ｃｍ）より幅広に形成されている。なお、養生対象となる玄関ドアＤが複数種ある場合には、複数種の玄関ドアＤのうち、幅が最も広いものを基準として、シート体１１の横寸法を、これより幅広に形成することが好ましい。
【００２６】
一方、シート体１１の縦寸法（高さ寸法）は、６０ｃｍになっている。すなわち、シート体１１の縦寸法は、玄関ドアＤの表面下部から床面Ａまでを覆う大きさに形成されている。つまり、シート体１１の縦寸法は、ドア本体Ｄａの表面下部を覆うと共に、ドア本体Ｄａの下側におけるドア本体Ｄａとドア枠Ｄｂとの隙間を閉塞する大きさに形成されている。なお、図３に示すように、ドア本体Ｄａの表面下部および玄関ドアＤとドア枠Ｄｂとの隙間に加え、ドア枠Ｄｂの下枠を覆う大きさに形成されていることが好ましい。また、シート体１１の縦寸法は、シート体１１の下端が床面Ａに接触するように設置したとき、シート体１１の上端がドアノブＤｃや郵便受けＤｄより低い位置になる大きさに形成されていることが好ましい。
【００２７】
なお、本実施形態では、上記したように、シート体１１の色を緑色としているが、玄関ドアＤと見分けやすい色であれば、これに限るものではない。すなわち、シート体１１の色は、養生シート１（シート体１１）と玄関ドアＤとが一見して見分けられるように、玄関ドアＤの色として一般的に使われる色に対し見分けが付きやすい色であることが好ましい。
【００２８】
図２に示すように、主マグネット１２は、シート体１１の上辺に添うように配設された長尺状（横９５ｃｍ、縦５ｃｍの矩形）のマグネットシートにより構成されており、磁着によりシート体１１の上部をスチール製の玄関ドアＤに支持する。主マグネット１２は、ドア本体Ｄａの幅を超えて延在している。図３の例では、主マグネット１２は、ドア本体Ｄａおよびドア枠Ｄｂを合わせた幅と一致する長さになっている。
【００２９】
副マグネット１３は、シート体１１の両側端から左右内側に寄った位置に配設された左右一対のマグネットシート１３ａ（マグネット片）により構成されており、磁着によりシート体１１の下部をスチール製の玄関ドアＤ（ドア本体Ｄａ）に支持する。各マグネットシート１３ａは、横５ｃｍ、縦１０ｃｍの縦長矩形に形成されると共に、シート体１１の下端から上側の寄った位置に配設されている。なお、主マグネット１２のマグネットシートおよび副マグネット１３の一対のマグネットシート１３ａは、可撓性磁石で構成されている。
【００３０】
次に図４を参照して、養生シート１を用いた清掃作業（清掃方法）について説明する。この清掃作業は、複数の玄関ドアＤが面する共用通路の床面Ａを清掃するものであり、複数の養生シート１を用意し、各養生シート１を各玄関ドアＤに設置して清掃を行うものである。
【００３１】
図４に示すように、清掃作業では、まず、各養生シート１を、各玄関ドアＤの表面下部に設置する（Ｓ１）（養生工程）。図３に示したように、玄関ドアＤ（ドア本体Ｄａ）の中央にシート体１１の中央が来るように、且つ、シート体１１により玄関ドアＤの表面下部から床面Ａまでを覆うように、養生シート１を玄関ドアＤに取り付ける。この場合、養生シート１の下端部は、床面Ａに対し、スカート状に撓ませることが好ましい（図５参照）。
【００３２】
養生シート１を設置したら、共用通路の床面の清掃を行う（Ｓ２〜Ｓ５）（清掃工程）。具体的には、まず、ポリッシャーを用いて、共用通路の床面Ａ全域に対しポリッシングを行う（Ｓ２）。その後、吸水バキュームやスクイージーを用いて、ポリッシングで生じた汚水を回収する（Ｓ３）。汚水を回収したら、モップ等で床面の水拭きを行った後（Ｓ４）、送風機等を用いて、床面Ａを乾燥させる（Ｓ５）。なお、洗剤供給機能（洗浄液供給機能）を搭載していないポリッシャーを用いる場合には、ポリッシングに先駆けて床面Ａに対し洗剤を塗布する。
【００３３】
床面の清掃が終了したら、各玄関ドアＤから各養生シート１を取り外して、各養生シート１を撤去する（Ｓ６）（撤去工程）。これにより、本清掃作業を終了する。
【００３４】
なお、言うまでもないが、本発明の養生シート１は、ポリッシャーを用いた床面清掃の他、ポリッシャーに代えて、或いはポリッシャーと共に高圧洗浄機を用いた床面清掃等にも適用可能である。
【００３５】
以上のような構成によれば、養生シート１を玄関ドアＤに設置した状態で、清掃作業を行うことで、玄関ドアＤの汚れの付着やドア下からの洗剤の侵入を防止することができる。また、主マグネット１２および副マグネット１３によって磁着で、シート体１１を玄関ドアＤに支持する構成であるため、玄関ドアＤに対し容易に着脱することができる。よって、清掃作業中に玄関ドアＤを利用する場合にも、これに容易に対応することができる。
【００３６】
また、養生シート１が玄関ドアＤよりも幅広に形成されていることで、玄関ドアＤに汚れが付くのを確実に防止することができる。
【００３７】
さらに、シート体１１は、上端部および下端部に折返し部２１が設けることで、上端部および下端部の摩耗に対する耐久性を向上させることができる。
【００３８】
またさらに、シート体１１は、折畳み可能に構成されていることで、折り畳んで持ち運びできるので、持ち運びを容易に行うことができる。また、アルコープによって玄関ドアＤの左右の壁が玄関ドアＤから突出している場合にも、シート体１１の左右端部を折ることで、養生シート１を設置することができる。
【００３９】
また、主マグネット１２に加え、副マグネット１３を備えたことで、シート体１１がバタつかないように押えておくことができる。
【００４０】
さらに、主マグネット１２が、シート体１１の上辺に添うように配設されていることで、シート体１１の姿勢を維持しつつ、シート体１１がズレ落ちないように玄関ドアＤに確実に支持することができる。
【００４１】
またさらに、副マグネット１３の各マグネットシート１３ａが、シート体１１の下端から上側に寄った位置に配設されていることで、図５に示すように、シート体１１の下端を床面Ａに倣うように撓ませ、シート体１１の裏面下端を床面Ａに接触させる形で設置しても、副マグネット１３による玄関ドアＤへの磁着を確実に行うことができる。
【００４２】
また、副マグネット１３の各マグネットシート１３ａが、シート体１１の両側端から左右内側に寄った位置に配設されていることで、ドアヒンジＤｅやドア枠Ｄｂ等がドア本体Ｄａから突出していたとしても、シート体１１がバタつかないように押えておくことができる。
【００４３】
なお、上記実施形態においては、シート体１１の上端部および下端部の両方に折返し部２１を設ける構成であったが、シート体１１の上端部および下端部のいずれか一方に、折返し部２１を設ける構成であっても良い。
【００４４】
また、上記実施形態においては、シート体１１の横寸法を、ドア本体Ｄａおよびドア枠Ｄｂを含む幅よりより幅広に形成したが、シート体１１の横寸法を、ドア本体Ｄａより幅広で、ドア本体Ｄａに加えドア枠Ｄｂを含んだときの幅より幅狭に形成しても良い。
【００４５】
さらに、上記実施形態においては、主マグネット１２および副マグネット１３の両方を有する構成であったが、主マグネット１２および副マグネット１３のいずれか一方のみを有する構成であっても良い。
【００４６】
またさらに、上記実施形態においては、副マグネット１３を、左右一対のマグネットシート１３ａにより構成したが、副マグネット１３を、シート体１１の幅方向に並ぶ３つ以上のマグネットシート１３ａにより構成しても良いし、１つのマグネットシート１３ａにより構成しても良い。
【００４７】
なお、上記実施形態においては、シート体１１が、ドア本体Ｄａの表面下部から床面Ａまでを覆う構成であったが、ドア本体Ｄａの汚れやドア下からの洗剤の侵入のみを考慮するのであれば、シート体１１が、ドア本体Ｄａの表面下部からドア枠Ｄｂの下枠までを覆う構成であっても良い。ひいては、シート体１１が、ドア本体Ｄａの表面下部からドア枠Ｄｂの下枠の上縁（上見込み面）までを覆う構成であっても良い。すなわち、シート体１１が、ドア枠Ｄｂまで覆わない構成であっても良い。
【符号の説明】
【００４８】
１：養生シート、  １１：シート体、  １２：主マグネット、  １３：副マグネット、  １３ａ：マグネットシート、  ２１：折返し部、  Ｄ：玄関ドア、  Ａ：床面
【図１】
2019188334.tif 000003
【図２】
2019188334.tif 000004
【図３】
2019188334.tif 000005
【図４】
2019188334.tif 000006
【図５】
2019188334.tif 000007